(57)【要約】  デュアル回転磁石を備えたラッチが開示される。ラッチは、コンパートメントのデュアル・ドアを閉位置に解離可能に固定するのに特に適している。コンパートメントに対して閉位置に両ドアを固定するために、各回転磁石が、磁気吸引作用によって、それぞれのドアに取付けられた磁気挿入体を閉位置に保持する。
2008538801.tif 000002
【特許請求の範囲】
【請求項１】
第1部材を第2部材に対して閉位置に固定するための磁気ラッチ機構であって、該第1部材が、該第2部材に対して該閉位置と開位置との間で運動可能であり、そして該第1部材が、磁気吸引可能な材料を備えており、該磁気ラッチ機構が、ハウジングと、少なくとも1つの磁石と、作動機構とを含み：
該ハウジングは該第2部材に取付けられるように適合されており；
該少なくとも1つの磁石は、前記ハウジングによって回転可能に支持されており、前記少なくとも1つの磁石は、係止位置と非係止位置との間で回転運動可能であり、前記係止位置にあるときには前記少なくとも1つの磁石は、該第1部材が該第2部材に対して該閉位置にある状態で、前記少なくとも1つの磁石が前記少なくとも1つの磁石と該磁気吸引可能な材料との間の磁気吸引作用によって該第1部材を該閉位置に保持するように位置決めされており、そして前記非係止位置にあるときには前記少なくとも1つの磁石は、該第1部材が該第2部材に対して該閉位置にある状態で、該第1部材を該第2部材に対して該閉位置から開位置に向かって動かすようにするために前記少なくとも1つの磁石が該磁気吸引可能な材料を跳ね返すように位置決めされており；そして
該作動機構が、使用者からの入力に応答して、前記少なくとも1つの磁石を、前記係止位置から前記非係止位置に選択的に動かすことができる、
磁気ラッチ機構。
【請求項２】
該第1部材がストライカを備えており、そして該磁気ラッチ機構がさらに：
前記少なくとも1つの磁石と一緒に回転するように支持されたフック形爪を含み、前記爪は前記ストライカに係合することができ、前記爪は、前記少なくとも1つの磁石が前記係止位置にあるときに、該第1部材が該開位置に向かって動かされるのを機械的に防止するために、前記ストライカに係合する、
請求項1に記載の磁気ラッチ機構。
【請求項３】
該磁気ラッチ機構がさらに：
前記ハウジングによって回転可能に支持された少なくとも1つの磁石キャリヤを含み、前記少なくとも1つの磁石が、前記少なくとも1つの磁石キャリヤによって担持されており、前記少なくとも1つの磁石キャリヤが、前記少なくとも1つの磁石の前記係止位置と前記非係止位置とに対応する係止位置と非係止位置との間で回転運動可能である、
請求項1に記載の磁気ラッチ機構。
【請求項４】
該第1部材がストライカを備えており、そして該磁気ラッチ機構がさらに：
前記少なくとも1つの磁石と一緒に回転するように支持されたフック形爪を含み、前記爪は前記ストライカに係合することができ、前記爪は、前記少なくとも1つの磁石が前記係止位置にあるときに、該第1部材が該開位置に向かって動かされるのを機械的に防止するために、前記ストライカに係合する、
請求項3に記載の磁気ラッチ機構。
【請求項５】
前記爪が、前記少なくとも1つの磁石キャリヤと一体構造を有する、請求項4に記載の磁気ラッチ機構。
【請求項６】
該磁気ラッチ機構が、該第1部材及び第3部材を第2部材に対して閉位置に固定することができ、該第3部材が該第2部材に対して閉位置と開位置との間で運動可能であり、該第3部材が磁気吸引可能な材料を備えており、前記少なくとも1つの磁石が第1磁石であり、そして該磁気ラッチ機構がさらに：
前記ハウジングによって回転可能に支持された第2磁石を含み、前記第2磁石は、係止位置と非係止位置との間で回転運動可能であり、前記係止位置にあるときには前記第2磁石は、該第3部材が該第2部材に対して該閉位置にある状態で、前記第2磁石が前記第2磁石と該第3部材の該磁気吸引可能な材料との間の磁気吸引作用によって該第3部材を該閉位置に保持するように位置決めされており、そして前記非係止位置にあるときには前記第2磁石は、該第3部材が該第2部材に対して該閉位置にある状態で、該第3部材を該第2部材に対して該閉位置から開位置に向かって動かすようにするために前記第2磁石が該第3部材の該磁気吸引可能な材料を跳ね返すように位置決めされており；そして
前記作動機構は、使用者からの入力に応答して、前記第1磁石及び前記第2磁石を、それぞれの係止位置からそれぞれの非係止位置に選択的に動かすことができる、
請求項1に記載の磁気ラッチ機構。
【請求項７】
該第1部材が第1ストライカを備え、そして該第3部材が第2ストライカを備えており、そして該磁気ラッチ機構がさらに、前記第1磁石と一緒に回転するように支持された第1フック形爪と、前記第2磁石と一緒に回転するように支持された第2フック形爪とを含み：
前記第1爪は前記第1ストライカに係合することができ、前記第1爪は、前記第1磁石が前記第1磁石の前記係止位置にあるときに、該第1部材が該開位置に向かって動かされるのを機械的に防止するために、前記第1ストライカに係合し；そして
前記第2爪は前記第2ストライカに係合することができ、前記第2爪は、前記第2磁石が前記第2磁石の前記係止位置にあるときに、該第3部材が該開位置に向かって動かされるのを機械的に防止するために、前記第2ストライカに係合する、
請求項6に記載の磁気ラッチ機構。
【請求項８】
該磁気ラッチ機構がさらに、前記ハウジングによって回転可能に支持された第1磁石キャリヤと、前記ハウジングによって回転可能に支持された第2磁石キャリヤとを含み：
前記第1磁石が、前記第1磁石キャリヤによって担持されており、前記第1磁石キャリヤが、前記第1磁石の前記係止位置と前記非係止位置とに対応する係止位置と非係止位置との間で回転運動可能であり；そして
前記第2磁石が、前記第2磁石キャリヤによって担持されており、前記第2磁石キャリヤが、前記第2磁石の前記係止位置と前記非係止位置とに対応する係止位置と非係止位置との間で回転運動可能である、
請求項6に記載の磁気ラッチ機構。
【請求項９】
該第1部材が第1ストライカを備え、そして該第3部材が第2ストライカを備えており、そして該磁気ラッチ機構がさらに、前記第1磁石キャリヤと一緒に回転するように支持された第1フック形爪と、前記第2磁石キャリヤと一緒に回転するように支持された第2フック形爪とを含み：
前記第1爪は前記第1ストライカに係合することができ、前記第1爪は、前記第1磁石が前記第1磁石の前記係止位置にあるときに、該第1部材が該開位置に向かって動かされるのを機械的に防止するために、前記第1ストライカに係合し；そして
前記第2爪は前記第2ストライカに係合することができ、前記第2爪は、前記第2磁石が前記第2磁石の前記係止位置にあるときに、該第3部材が該開位置に向かって動かされるのを機械的に防止するために、前記第2ストライカに係合する、
請求項8に記載の磁気ラッチ機構。
【請求項１０】
前記第1磁石キャリヤが第1回転軸を中心として回転し、前記第2磁石キャリヤが第2回転軸を中心として回転し、前記第1回転軸が前記第2回転軸に対して平行であり、そして前記第1回転軸が、前記第2回転軸から離隔して配置されている、請求項9に記載の磁気ラッチ機構。
【請求項１１】
前記作動機構が、前記第1磁石キャリヤに取付けられた第1レバーアームと、前記第2磁石キャリヤに取付けられた第2レバーアームと、前記第1レバーアームに第1の箇所で旋回可能に取付けられた連結バーとを含み：
前記第1レバーアームは前記第1磁石キャリヤと一緒に回転し；
前記第2レバーアームは前記第2磁石キャリヤと一緒に回転し；そして
前記第2磁石キャリヤと前記第2磁石とが係止位置と非係止位置との間で運動するのにつれて、前記第2磁石キャリヤ及び前記第2磁石と調和して、前記第1磁石キャリヤと前記第1磁石とがこれらの係止位置と非係止位置との間で運動するように、前記連結バーが、前記連結バーに沿って前記第1箇所から離隔した第2箇所で、前記第2レバーアームに旋回可能に取付けられている、
請求項10に記載の磁気ラッチ機構。
【請求項１２】
前記作動機構が、前記第1磁石キャリヤに取付けられた第1の複数のギア歯と、前記第2磁石キャリヤに取付けられた第2の複数のギア歯と、前記ハウジングに対して直線運動するように支持されたラックバーとを含み：
該第1の複数のギア歯が、前記第1磁石キャリヤと一緒に回転し、
該第2の複数のギア歯が、前記第2磁石キャリヤと一緒に回転し、
前記ラックバーが、第3の複数のギア歯を備えており、前記ラックバーが第1位置と第2位置との間で直線運動するのにつれて、前記第1磁石キャリヤと前記第1磁石とがこれらの係止位置と非係止位置との間で運動し、そして前記第2磁石キャリヤと前記第2磁石とがこれらの係止位置と非係止位置との間で運動するように、前記第3の複数のギア歯の第1部分が、前記第1磁石キャリヤの前記第1の複数のギア歯に係合することができ、前記第3の複数のギア歯の第2部分が、前記第2磁石キャリヤの前記第2の複数のギア歯に係合することができる、
請求項10に記載の磁気ラッチ機構。
【請求項１３】
前記ラックバーが第4の複数のギア歯を含み、そして前記作動機構がさらに、前記ハウジングに対して回転運動するように支持されたギアホイールを含み：
前記ギアホイールは、少なくとも第1方向における前記ギアホイールの回転が、前記ラックバーを前記その第1位置から前記その第2位置に動かし、これにより、前記第1磁石及び前記第2磁石を係止位置から非係止位置へ動かすように、前記第4の複数のギア歯と噛み合う第5の複数のギア歯を有している、
請求項12に記載の磁気ラッチ機構。
【請求項１４】
前記作動機構がさらに：
電気モータ；及び
ギア集合とを含み、前記モータは前記ギア集合を介して前記ギアホイールを駆動する、
請求項13に記載の磁気ラッチ機構。
【請求項１５】
前記第1爪が、前記磁石キャリヤと一体構造を有しており、そして前記第2爪が、前記第2磁石キャリヤと一体構造を有している、請求項14に記載の磁気ラッチ機構。
【発明の詳細な説明】
【技術分野】
【０００１】
本発明は、コンパートメントの1つ又は2つ以上のクロージャ・パネルを閉位置に固定するのに使用するための磁石を有するラッチに関する。
【背景技術】
【０００２】
多くの用途において、パネルをコンパートメント開口又は別のパネルに対して閉位置に固定する必要が生じる。例えば自動車産業の場合、車両の内部コンパートメントのクロージャとして作用するパネルは、コンパートメントがアクセスされていないときには閉位置に固定されなければならない。このようなコンパートメントの例は、車両のグローブボックス及び車両のフロントシート間のセンター・コンソール・コンパートメントを含む。使用者がコンパートメントの内容物にアクセスするべくクロージャ部材を選択的に開くことを可能につつコンパートメントの内容物を守るために、このようなコンパートメントのためのクロージャ部材は、ラッチによって閉位置に選択的に固定される。これを目的とした多くのラッチが当業者において提案されている。このようなラッチの例は、米国特許第5,927,772号明細書及び同第6,761,278号明細書に見ることができる。しかしながら、本発明の新規の、そして独自のラッチを教示又は示唆するものは、周知のラッチには見られない。
【発明の開示】
【発明が解決しようとする課題】
【０００３】
本発明は、例えばコンパートメントのデュアル・ドアを閉位置に固定するのに特に有利なラッチ機構に関する。
【課題を解決するための手段】
【０００４】
ラッチは2つの回転磁石を有しており、そして各回転磁石は、それぞれのドアに取付けられた磁気挿入体を磁気吸引することにより、コンパートメントに対して閉位置にドアのそれぞれ1つをしっかり保持する。第2の実施態様の場合、機械的なフック状回転爪は、磁石の作用を補足する。本発明によるラッチは、デュアル・ドアが連結される用途において使用するのに良く適している。このような用途において、ドアの一方を閉じると、他方のドアも閉位置に動く。しかしドア間の機械的連結は完全ではなく、ドアの閉鎖は常に同時に生じるとは限らない。しばしば一方のドアは、閉鎖に際して他方のドアにわずかに遅れを取る。本発明のラッチは、一方のドアが他方のドアに遅れを取る場合にも、ドアを閉位置に適正に固定するように構成されている。
【発明を実施するための最良の形態】
【０００５】
以下の説明において、同様の符号はいくつかの図面全体を通して、同様の要素を示す。本発明は、第1部材を第2部材に対して閉位置に固定するための磁気ラッチ機構であって、第1部材が、第2部材に対して閉位置と開位置との間で運動可能であるものに関する。第1部材は例えばドアであってよく、そして第2部材は例えばコンパートメント又はドアフレームであってよい。図示の例において、1つ又は2つ以上のドアは、コンパートメントのためのクロージャを形成する。本発明によるラッチは、機械的に連結されたデュアル・ドアが閉位置に固定されるようになっている用途において使用するのに特に良く適している。このような用途の場合、ドアのうちの一方を閉じると、他方のドアも閉位置に動く。しかしドア間の機械的連結は完全ではなく、ドアの閉鎖は常に同時に生じるとは限らない。しばしば一方のドアは、閉鎖に際して他方のドアにわずかに遅れを取る。本発明の磁気ラッチの場合、ドアがラッチ磁石の磁界の影響領域内に一旦入ると、ドアは磁気吸引作用によって最終閉位置に引付けられることになる。従って、ドアが閉位置に接近するのに伴うドアの相対位置の顕著な変化とは無関係に、デュアル・ドア用途において各ドアが最終閉位置に適正に動かされる。従って、本発明のラッチは、一方のドアが他方のドアに遅れを取る場合にも、ドアを閉位置に適正に固定するように構成されている。
【０００６】
その最も基本的な形態において、磁気ラッチ機構は、第1部材に取付け可能な磁気挿入体、第2部材に取り付けられるように適合されたハウジングと、ハウジングによって回転可能に支持された少なくとも1つの磁石と、使用者からの入力に応答して、磁石を係止位置から非係止位置に選択的に動かすことができる作動機構とを含む。
【０００７】
その最も基本的な形態において、磁気挿入体は任意の磁気吸引可能な材料から形成することができ、そして本明細書中に使用される磁気という用語は、磁石によって吸引される任意の材料を幅広く意味するように意図される。しかし、磁気挿入体自体が磁石であり、最も好ましくは永久磁石であることが好ましい。回転可能に支持される磁石、及び磁気挿入体の両方が、例えば希土類磁石を含むタイプから選択された永久磁石であることが可能である。
【０００８】
回転磁石は、磁石が係止位置と非係止位置との間で回転運動可能であるように、ハウジングによって回転可能に支持されている。係止位置にあるときには、回転磁石は、第1部材が第2部材に対して閉位置にある状態で、回転磁石が回転磁石と磁気挿入体との間の磁気吸引作用によって、磁気挿入体が取付けられた第1部材を、閉位置に保持するように位置決めされている。係止位置において、磁気挿入体に面した回転磁石の極は、回転磁石に面した磁気挿入体の極とは対向する型(すなわちN極、S極)を有する。従って、回転磁石と磁気挿入体との間には吸引力が作用し、その結果、磁気挿入体が取付けられた第1部材又はドアが閉位置に保持される。
【０００９】
回転磁石が非係止位置にあるときには回転磁石は、第1部材が第2部材に対して閉位置にある状態で、第1部材を第2部材に対して閉位置から開位置に向かって動かすようにするために回転磁石が磁気挿入体を跳ね返すように位置決めされている。非係止位置において、磁気挿入体に実質的に面した回転磁石の極は、回転磁石に面した磁気挿入体の極と同じ型(すなわちN極、S極)を有する。従って、回転磁石と磁気挿入体との間には、互いに反発し合う傾向がある力が作用し、その結果、磁気挿入体が取付けられた第1部材又はドアが閉位置から開位置に向かって動かされる。
【００１０】
作動機構は、使用者からの入力に応答して、回転磁石を係止位置から非係止位置に選択的に動かす。従って、第1部材又はドアを開くために、使用者は係止位置から非係止位置まで回転磁石を動かすことができる。
【００１１】
第2の実施態様の場合、磁気ラッチ機構はさらに、第1部材に取付け可能なストライカと、回転磁石と一緒に回転するように支持されたフック形爪とを含む。爪は、回転磁石が係止位置にあるときに、第1部材が開位置に向かって動かされるのを機械的に防止するために、ストライカに係合する。
【００１２】
デュアル・ドア用途の場合、少なくとも1つの回転磁石と、対応磁気挿入体とが、各ドアに提供されることになる。回転磁石は、これらが調和して運動するように連結することができ、そしてデュアル・ドアの同時の開放を可能にするために、共通の作動機構によって係止位置から非係止位置に動かすことができる。
【００１３】
図1〜27を参照すると、本発明によるデュアル回転磁石を有する磁気ラッチ機構100を見ることができる。ラッチ機構100は、2つの回転磁石106及び108を使用して、2つのドア102及び104を閉位置に実質的に同時に固定するように構成された遠隔操作型ラッチ機構である。ラッチ機構100は、ドア102, 104の旋回軸又はヒンジの間に、一致する回転軸を中心として回転するように支持された回転磁石106, 108を有する状態で取付けられるように構成されている。また回転磁石106, 108は同じ方向に回転する。回転磁石106及び108は、ハウジング132によって回転可能に支持された共通の磁石キャリヤ119によって支持される。回転磁石106, 108は、回転磁石と磁石キャリヤとが一体のものとして回転するように、磁石キャリヤ119に取付けられている。回転磁石106, 108は、それぞれの係止位置と非係止位置との間で回転運動可能である。磁気ラッチ機構100はまた、ドア102及び104に取付けることができる磁気挿入体114及び116を含む。磁気挿入体114及び116のそれぞれは、回転磁石106, 108のそれぞれ1つに対応する。回転磁石106, 108が係止位置にあり、そしてドア102及び104が閉位置にあるときには、それぞれの磁気挿入体114, 116に面した回転磁石106, 108のそれぞれの極は、それぞれの回転磁石106, 108に面した磁気挿入体114, 116の極とは対向する型(すなわちN極、S極)を有する。従って、各回転磁石106, 108とそのそれぞれの磁気挿入体114, 116との間には吸引力が作用し、その結果、磁気挿入体114, 116が取付けられたドア102, 104が閉位置に保持される。
【００１４】
回転磁石106, 108が非係止位置にあり、そしてドア102及び104が閉位置にあるときには、それぞれの磁気挿入体114, 116に実質的に面した回転磁石106, 108のそれぞれの極は、それぞれの回転磁石106, 108に面した磁気挿入体114, 116の極と同じ型(すなわちN極、S極)を有する。従って、各回転磁石106, 108とそのそれぞれの磁気挿入体114, 116との間には、反発力が作用し、その結果、磁気挿入体114, 116が取付けられたドア102, 104が閉位置から開位置に向かって動かされる。「実質的に面した」とは、それぞれの回転磁石106, 108の同様の極によってそれぞれの回転磁石106, 108に面した磁気挿入体114, 116の極に作用する反発力が、それぞれの回転磁石106, 108の対向型の極によってそれぞれの回転磁石106, 108に面した磁気挿入体114, 116の極に作用する吸引力よりも大きく、そしてこれを克服するような点まで、回転磁石106, 108が係止位置から離れるように回転させられることを意味する。図示の実施態様の場合、回転磁石106, 108は係止位置から145°回転させられる。もちろん、係止位置からの回転量は、90°超、145°未満である何らかの角度で発生する前述の初期反発点から180°までの範囲であってもよい。
【００１５】
同様の考察事項は、それぞれの回転磁石106, 108の対向型極が、係止位置において、それぞれの回転磁石106, 108に面する磁気挿入体114, 116の極に、直接には面する必要がないことを示す。回転磁石106, 108は、回転磁石の対向型極とこれらのそれぞれの磁気挿入体の対向型極との間の好ましい直接対面関係から、0°≦θ<90°の角度θだけ逸脱してよい。もちろん、回転磁石の対向型極とこれらのそれぞれの磁気挿入体の対向型極との間の直接対面関係(すなわち0°又は約0°を成す)が、係止位置にとって好ましい。なぜならば、その位置は、ラッチ機構に最大の保持力を与えるからである。
【００１６】
各磁気挿入体114, 116は、それぞれ磁気挿入体ハウジング176, 178内に挿入されることによって、ドア102, 104のそれぞれ1つに取付けられている。磁気挿入体ハウジング176, 178はドア102, 104のそれぞれ1つに取付けられている。図示の例において、磁気挿入体ハウジング176, 178は、ねじ180によってドア102, 104に取付けられている。
【００１７】
磁気挿入体ハウジング176, 178をドア102, 104に取付けるための手段は、本発明にとってさほど重要ではなく、ねじ、リベット、ピン、釘及び接着剤を含む任意の好適な締結手段が使用されてよい。さらに、磁気挿入体ハウジング176, 178は、ドア102, 104と一体構造を有していてよい。磁気挿入体ハウジング176, 178を全体的に省くこともでき、また、磁気挿入体114, 116はドア102, 104に直接に取付けることができる。ハウジング176, 178と同様に、磁気挿入体114, 116をドア102, 104に取付けるために、ねじ、リベット、ピン、釘及び接着剤を含む任意の好適な締結手段を使用することができる。さらに別の代わりの実施態様として、磁気挿入体114, 116は、ドア102, 104の材料内に埋込むこともできる。
【００１８】
磁気ラッチ機構100は、回転磁石106, 108が取付けられた磁石キャリヤ119を回転可能に支持するハウジング132を含む。ハウジング132の上側開口101は、磁石キャリヤ119がラッチ機構100の組立て中にハウジング132の内側に配置されるのを可能にする。
【００１９】
磁石キャリヤ119は細長く、そしてそれぞれ回転磁石106及び108を受容するための2つのキャビティ184, 186を備えている。回転磁石106及び108は、ねじ182によってキャビティ184, 186内の所定の位置に保持される。キャビティ184, 186は、キャリヤ110の同じ側に対して開き、そしてキャリヤ119の長手方向軸に沿って縦一列に位置決めされている。キャリヤ119の各端部からその長手方向軸に沿って、円錐形スピンドル140, 142が突出している。スピンドル140, 142は、それぞれ円筒形軸受け187及び189内にセンタリングされている。軸受け187及び189はU字形凹部111, 113内に受容され、これによりハウジング132内でキャリヤ119を回転可能に支持する。ハウジング132内でキャリヤ119を回転可能に支持するために用いられる具体的な様式は、本発明にとってさほど重要ではない。ハウジング132内にキャリヤ119を回転可能に支持するための図示の様式は、組立てやすさ及び耐久性を目的として、そして種々様々な材料の使用を可能にするように選択された。或いは、キャリヤ119の端部は、ハウジング132によって、又はアクスル、シャフト又はピンの使用を介して、回転するように直接に支持することもできる。
【００２０】
ハウジング132は、作業ロッド120がハウジング132から外方へ延びるのを可能にする開口103を有している。ハウジング132から外方では、作業ロッド120を使用者によって直接又は間接に操作することができる。ロッド120の一方の端部が、ハウジング132内部に配置されており、ロッド120の内側端部と呼ばれる。ロッド120の内側端部は、ロッド120の長手方向で直線運動するように、ハウジング132によって支持される。ロッド120のほぼ内側端部で、ロッド120からペグ191が側方に突出している。ペグ191は、キャリヤ119内に形成された螺旋溝193内に受容される。ペグ191と螺旋溝193とは、ロッド120の直線運動に応答してキャリヤ119に回転運動を付与するように協働する。作動機構は、ロッド120、ペグ191、及び螺旋溝193を含む。作業ロッド120は、ボーデン・ケーブルによって遠隔操作することができ、そしてこの操作は手動で行うか、又は電気的なアクチュエータを使用することによって行うことができる。ラッチ機構100の手動又は電気操作のための使用者インタフェイスとしては、それぞれ、一般に何らかのタイプの遠隔配置されたハンドル又は押しボタンが提供される。
【００２１】
ハウジング132をフレーム又はコンパートメント194に装着することにより、ラッチ機構100はフレーム又はコンパートメント194に取付けられる。回転磁石106及び108は、磁気挿入体114, 116の位置から見たときに露出されるか又は可視である必要はない。ハウジング132をドアフレーム194に取付けるための手段は、本発明にとってはさほど重要ではなく、ねじ、リベット、ピン、釘及び接着剤を含む任意の好適な締結手段が使用されてよい。さらに、ハウジング132は、ドアフレーム194と一体構造を有していてよい。
【００２２】
ラッチ機構100は、ドア102, 104を開閉するための機械的係止機構の付属物として使用することができる。磁石106, 108は、ドアが両方とも正しく係止するのを保証するために、ドア102, 104を引張る。磁石106, 108は、閉位置におけるドア102, 104の最終的な運動及び位置及びギャップ条件を制御する。機構が係止されていない場合、磁石106, 108はまたドア102, 104の開放を助ける。
【００２３】
ラッチ機構100を開くために、例えばボタンが押される。ボタンは、磁気ラッチ機構100と、ドア102, 104を機械的に解放する補助的な機械的ラッチ機構の両方を操作する。磁気機構100において、ロッド120は15 mm引張られ、これにより、ペグ191と螺旋溝193との相互作用によって、磁石キャリヤ119と磁石106, 108とが係止位置から離れる方向に145度回転させられる。この「非係止」位置において、これらの磁石は、ドア102, 104に取付けられた磁気挿入体114, 116を跳ね返し、ドアを強制的に開放旋回させる。一旦磁気挿入体114, 116から回転磁石106, 108の磁界がなくなると、好ましくは係止位置に向かってばね付勢されたロッド120は、キャリヤ119及び回転磁石106, 108を元の係止位置に戻す。
【００２４】
ドア102, 104を閉じるためには、ドア102, 104のうちの一方が押されて閉じられる。この行為は、ドア間の機械的連結を介して他方のドアを引張って閉じる(図示せず)が、しかし、連結の遊びにより一方のドアが他方のドアに遅れを取ることになる。一旦ドア102, 104が閉鎖状態に近くなると、磁石106, 108は両方の蓋を面一に引付けるので、補助的な機械的ラッチ機構(図示せず)によって機械的に、ドアを所定の位置に保持することができる。このように、磁気ラッチ機構100は、ドア102, 104の機械的連結の遊び、及び閉鎖状態に近いドア間の位置の相違を許容し、しかもドアを面一に、そして同時に閉じる係止システムを提供する。
【００２５】
図28〜83を参照すると、本発明によるデュアル回転磁石を有する磁気ラッチ機構の第2実施態様200を見ることができる。ラッチ機構200は、2つの回転磁石206及び208を使用して、2つのドア202及び204を閉位置に実質的に同時に固定するように構成された遠隔操作型ラッチ機構である。ラッチ機構200は、ドア202, 204の旋回軸又はヒンジの間に、互いに平行で離隔した回転軸を中心として回転するように支持された回転磁石206, 208を有する状態で取付けられるように構成されている。また回転磁石206, 208は同じ方向に回転する。回転磁石206及び208のそれぞれは、別個の磁石キャリヤ218, 219によって支持される。各磁石キャリヤ218, 219はハウジング232によって回転可能に支持されている。回転磁石206, 208のそれぞれは、回転磁石とそのそれぞれの磁石キャリヤとが一体のものとして回転するように、それぞれの磁石キャリヤ218, 219に取付けられている。回転磁石206, 208のそれぞれ、及びこれらのそれぞれの磁石キャリヤ218, 219は、それぞれの係止位置と非係止位置との間で回転運動可能である。
【００２６】
磁気ラッチ機構200はまた、対を成すフック形爪234, 236を含む。各フック形爪234, 236は、フック形爪234, 236とそれぞれの磁石キャリヤ218, 219とが一体のものとして回転するように、それぞれの磁石キャリヤ218, 219によって支持される。各フック形爪234, 236はフック形ヘッド222を有している。フック形ヘッド222は、それぞれの磁石キャリヤ218, 219とは反対側のベベル・カム面238と、それぞれの磁石キャリヤ218, 219に面したキャッチ面244とを有している。
【００２７】
磁気ラッチ機構200はまた、それぞれドア202及び204に取付けることができる磁気挿入体214及び216を含む。磁気挿入体214及び216のそれぞれは、回転磁石206, 208のそれぞれ1つに対応する。回転磁石206, 208が係止位置にあり、そしてドア202及び204が閉位置にあるときには、それぞれの磁気挿入体214, 216に面した回転磁石206, 208のそれぞれの極は、それぞれの回転磁石206, 208に面した磁気挿入体214, 216の極とは対向する型(すなわちN極、S極)を有する。図示の例の場合、磁気挿入体214, 216は、ドア202及び204が閉位置にあるときに、磁気挿入体のS極がそれぞれの回転磁石206, 208に面するように位置決めされている。また図示の例の場合、回転磁石206, 208は、回転磁石206, 208及びこれらのキャリヤが係止位置にあり、そしてドア202及び204が閉位置にあるときに、磁気挿入体のN極がそれぞれの磁気挿入体214, 216に面するように、キャリヤ218, 219内に位置決めされている。従って、各回転磁石206, 208とそのそれぞれの磁気挿入体214, 216との間には吸引力が作用し、その結果、磁気挿入体214, 216が取付けられたドア202, 204が閉位置に保持される。
【００２８】
さらに、フック形爪234, 236は、閉位置から開位置へのドア202, 204の運動を機械的にブロックするために、それぞれのストライカ224, 226に係合する。この構成要件は、ドア202, 204が、ドア202, 204によって守られるコンパートメントの外部から強制的にこじ開けられるのを防止する。
【００２９】
磁気ラッチ機構200は、ストライカ224, 226対を含む。ストライカ224, 226のそれぞれは、フック形爪234, 236対のそれぞれ一方に対応する。各ストライカ224, 226は、ストライカがそれぞれのドアの内面から離隔し、そしてフック形爪234, 236のヘッド222がそれぞれのストライカ224, 226とそれぞれのドア202, 204との間に嵌合できるように、それぞれのドア202, 204によって支持されている。各ストライカ224, 226は、それぞれのドア202, 204とは反対側のカム面228と、それぞれのドア202, 204に面したキャッチ面230とを有している。それぞれのドアが閉位置に動かされようとするときにそれぞれのフック形爪が偶然係止位置にある場合、ストライカ224, 226の経路から爪を外すように動かし、そしてそれぞれのドアが閉位置に動くのを可能にするために、各ストライカのカム面228は、それぞれのフック形爪234, 236のカム面238と相互作用することができる。一旦ドア202, 204が閉位置に入ると、それぞれの回転磁石206, 208とそれぞれの磁気挿入体214, 216との間の磁気吸引作用が、それぞれのフック形爪234, 236を係止位置に動かす。係止位置において、それぞれのフック形爪234, 236のヘッド222は、それぞれのストライカ224, 226とそれぞれのドア202, 204との間に位置決めされ、この場所で、それぞれのフック形爪234, 236のキャッチ面244は、それぞれのストライカ224, 226のキャッチ面230に係合することができ、これにより、閉位置から開位置へのそれぞれのドア202, 204の運動を機械的にブロックする。
【００３０】
回転磁石206, 208が非係止位置にあり(図28、38及び40に示す)、そしてドア202, 204が閉位置にある(図29及び39に示す)ときには、回転磁石206, 208に面したそれぞれの磁気挿入体214, 216の極とは対向する型(すなわちN極、S極)を有する回転磁石206, 208のそれぞれの極は、それぞれの磁気挿入体214, 216から隔たるように位置決めされるのに対して、回転磁石206, 208に面したそれぞれの磁気挿入体214, 216の極と同じ型を有する回転磁石206, 208のそれぞれの極は、回転磁石206, 208の係止位置に対して、それぞれの磁気挿入体214, 216により近接するように位置決めされる。非係止位置では、各回転磁石206, 208とそれぞれの磁気挿入体214, 216との同じ極間の反発力が、各回転磁石206, 208とそれぞれの磁気挿入体214, 216との対向極間の吸引力を克服する。従って、各回転磁石206, 208とそれぞれの磁気挿入体214, 216との間に、正味の反発力が作用する。加えて、フック形爪234, 236は回転磁石206, 208及びこれらの磁石キャリヤ218, 219とともに、非係止位置まで回転し、これにより、ドア202, 204の開放に対する機械的な障害が取除かれ、その結果、磁気挿入体214, 216が取付けられたドア202, 204が閉位置から開位置に向かって動かされる。
【００３１】
図示の例において、ドア202, 204がこれらの閉位置にあるときには、磁気挿入体214, 216は、これらのS極がそれぞれの回転磁石206, 208に面するように位置決めされていることを想起されたい。図示の例において、回転磁石206, 208及びこれらのキャリヤ218, 219が係止位置から非係止位置に動くのにつれて、回転磁石206, 208のN極がそれぞれの磁気挿入体214, 216のS極から離れるように動き、そして回転磁石206, 208のS極が磁気挿入体214, 216のS極に向かって動くので、回転磁石206, 208が非係止位置に達すると、各回転磁石206, 208とそのそれぞれの磁気挿入体214, 216との間に、正味反発力が作用する。
【００３２】
回転磁石206, 208及びこれらのキャリヤ218, 219は、係止位置から非係止位置に動くのにつれて、10°超、180°以下の角度範囲を通して動く。より好ましくは、回転磁石206, 208及びこれらのキャリヤ218, 219は、係止位置から非係止位置に動くのにつれて、30°以上、180°以下の角度範囲を通して動く。さらにより好ましくは、回転磁石206, 208及びこれらのキャリヤ218, 219は、係止位置から非係止位置に動くのにつれて、45°以上、145°以下の角度範囲を通して動く。さらにより好ましくは、回転磁石206, 208及びこれらのキャリヤ218, 219は、係止位置から非係止位置に動くのにつれて、60°以上、120°以下の角度範囲を通して動く。
【００３３】
実施態様100と同様に、それぞれの回転磁石206, 208の対向型極は、係止位置において、それぞれの回転磁石206, 208に面する磁気挿入体214, 216の極に、直接には面する必要はない。回転磁石206, 208は、回転磁石の対向型極とこれらのそれぞれの磁気挿入体の対向型極との間の好ましい直接対面関係から、0°≦θ<90°の角度θだけ逸脱してよい。回転磁石206, 208に対するフック形爪の位置はもちろん相応に調節されなければならない。もちろん、回転磁石の対向型極とこれらのそれぞれの磁気挿入体の対向型極との間の直接対面関係(すなわち0°又は約0°を成す)が、係止位置にとって好ましい。なぜならば、その位置は、ラッチ機構に最大の保持力を与えるからである。
【００３４】
各磁気挿入体214, 216は、それぞれ磁気挿入体ハウジング276, 278内に挿入されることによって、ドア202, 204のそれぞれ1つに取付けられている。磁気挿入体ハウジング276, 278はドア202, 204のそれぞれ1つに取付けられている。図示の例において、磁気挿入体ハウジング276, 278は、ねじ280によってドア202, 204に取付けられている。
【００３５】
磁気挿入体ハウジング276, 278をドア202, 204に取付けるための手段は、本発明にとってさほど重要ではなく、ねじ、リベット、ピン、釘及び接着剤を含む任意の好適な締結手段が使用されてよい。さらに、磁気挿入体ハウジング276, 278は、ドア202, 204と一体構造を有していてよい。磁気挿入体ハウジング276, 278を全体的に省くこともでき、また、磁気挿入体214, 216はドア202, 204に直接に取付けることができる。ハウジング276, 278と同様に、磁気挿入体214, 216をドア202, 204に取付けるために、ねじ、リベット、ピン、釘及び接着剤を含む任意の好適な締結手段を使用することができる。さらに別の代わりの実施態様として、磁気挿入体214, 216は、ドア202, 204の材料内に埋込むこともできる。
【００３６】
図示の実施態様の場合、ストライカ224, 226は、それぞれ磁気挿入体ハウジング276, 278と一体構造を有する。ハウジング276, 278と同様に、ストライカ224, 226をドア202, 204に取付けるための手段は、本発明にとってさほど重要ではない。フック形爪234, 236のヘッド222がそれぞれのストライカ224, 226とそれぞれのドア202, 204との間に嵌合するように、それぞれのドアの内面から十分な量の間隔を置いてストライカが配置されるように、ストライカ224, 226を支持する任意の好適な構造を採用することができ、そして、それぞれのドアに構造を取付けるために、ねじ、リベット、ピン、釘及び接着剤を含む任意の好適な締結手段を使用することができる。さらに、ストライカ224, 226は、ドア202, 204と一体構造を有してよい。
【００３７】
磁気ラッチ機構200は、それぞれ回転磁石206, 208が取付けられた磁石キャリヤ218, 219を回転可能に支持するハウジング232を含む。ハウジング232の上側開口201及び205は、磁石キャリヤ218, 219がラッチ機構200の組立て中にハウジング232の内側に配置されるのを可能にする。さらに、ハウジング232の上側開口201及び205は、ストライカ224, 226を係止位置に係合するために、フック形爪234, 236がハウジング232から外方へ延びるのを可能にする。
【００３８】
各磁石キャリヤ218, 219は、それぞれの回転磁石206, 208を受容するための容器284, 286の形態を成している。回転磁石206及び208は、弾性的なキャッチ・アーム282によって容器284, 286内の所定の位置に保持される。各容器284, 286は、その各側方から突出したスピンドル240, 242及び250, 252をそれぞれ有している。容器284, 286、及び結果としてキャリヤ218, 219は、ハウジング232の長手方向軸線に沿って縦一列で位置決めされており、この場合回転軸は、ハウジング232の長手方向軸に対して横方向、すなわち垂直である。スピンドル240, 242, 250, 252は、ハウジング232の側方の穴254, 256, 258, 260内にそれぞれ受容され、そしてこれらの穴によってそれぞれ回転可能に支持される。スピンドル240, 242, 250, 252は、それぞれ導入斜面262, 264, 266, 268によって支援されて穴254, 256, 258, 260内にスナップ嵌合する。ハウジング232内で磁石キャリヤ218, 219を回転可能に支持するために用いられる具体的な様式は、本発明にとってさほど重要ではない。ハウジング232内にキャリヤ218, 219を回転可能に支持するための図示の様式は、組立てやすさを目的として選択された。或いは、キャリヤ218, 219は、アクスル、シャフト又はピンの使用を介して、又は穴254, 256, 258, 260の代わりに使用された他のタイプの軸受け装置を用いて、ハウジング232によって回転するように支持することもできる。
【００３９】
各フック形爪234, 236は、それぞれのスピンドル240, 250が貫通する穴211を有している。各磁石キャリヤ218, 219は、それぞれのスピンドル240, 250の長手方向軸に対して偏心的に配置された突起213を有している。図示の実施態様の場合、それぞれのスピンドル240, 250の長手方向軸は、それぞれのキャリヤ218, 219の回転軸と一致する。各キャリヤ218, 219の突起213は、それぞれのフック形爪234, 236内に形成された穴215内に受容される。こうして、各キャリヤ218, 219とそれぞれのフック形爪234, 236との相対回転が防止され、そして各フック形爪234, 236とそれぞれの磁石キャリヤ218, 219とが一体のものとして回転する。
【００４０】
或いは、各キャリヤ218, 219とそれぞれのフック形爪234, 236との間の或る特定の範囲の相対運動を提供することもできる。この場合、各フック形爪234, 236は、それぞれのキャリヤ218, 219に対して図示された現在の位置に向かってばね付勢される必要がある。この相対運動は、それぞれのドアが閉位置に動かされようとするときにそれぞれのフック形爪が偶然係止位置にある場合、それぞれの回転磁石206, 208を動かす必要なしに、各フック形爪234, 236がそれぞれのストライカ224, 226の経路から外れて動くことを可能にし、そしてそれぞれのドアが閉位置に動くのを可能にする。
【００４１】
各容器284, 286は、これから延びるレバーアーム287, 289を有している。レバーアーム287, 289は、連結バー217によって連結されている。連結バー217は各端部で、レバーアーム287, 289のそれぞれ一方に旋回可能に結合されている。デュアル・ドア202, 204の同時の開放を可能にするために共通の作動機構によって磁石キャリヤ218, 219及び回転磁石206, 208を係止位置から非係止位置に動かすことができるように、連結バー217は磁石キャリヤ218, 219を調和して動かす。レバーアーム287, 289のそれぞれは、ラッチ機構200を作動させるためにそれぞれのボーデン・ケーブルの端部の円筒形ドエル209を受容するように適合された容器207を有する。容器207のうちの1つだけが図示の実施態様において使用される。
【００４２】
ハウジング232は、ボーデン・ケーブル220の被覆体223の一方の端部を支持することができるU字形スロット210を備えたブラケット203を有する。ボーデン・ケーブル220は、ラッチ機構200の遠隔操作を可能にする。ボーデン・ケーブル220の被覆体223の一方の端部がブラケット203のU字形スロット210内に取付けられた状態で、ボーデン・ケーブル220の遠隔端部(図示せず)を引張ると、回転磁石206, 208、磁石キャリヤ218, 219、及びフック形爪234, 236が、最初は係止位置にあると想定して、係止位置から非係止位置まで回転させられる。
【００４３】
ボーデン・ケーブル220の遠隔端部は、手動で、又は電気的なアクチュエータを使用することによって引張ることができる。ラッチ機構200の手動又は電気操作のための使用者インタフェイスとしては、それぞれ、一般に何らかのタイプの遠隔配置されたハンドル又は押しボタンが提供される。
【００４４】
ハウジング232をフレーム又はコンパートメント294に装着することにより、ラッチ機構200はフレーム又はコンパートメント294に装着される。回転磁石206及び208は、磁気挿入体214, 216の位置から見たときに露出されるか又は可視である必要はない。しかし、フック形爪234, 236が、これらが係止位置まで回転するにつれてストライカ224, 226に係合するようにドアフレーム294を通って延びるのを可能にするスロット296及び298などがドアフレーム294内に設けられていなければならない。ハウジング232をドアフレーム294に取付けるための手段は、本発明にとってはさほど重要ではなく、ねじ、リベット、ピン、釘及び接着剤を含む任意の好適な締結手段が使用されてよい。さらに、ハウジング232は、ドアフレーム294と一体構造を有していてよい。
【００４５】
磁石206, 208は、ドアが両方とも正しく係止するのを保証するために、ドア202, 204を引張る。磁石206, 208は、閉位置におけるドア202, 204の最終的な運動及び位置及びギャップ条件を制御する。機構が係止されていない場合、磁石206, 208はまたドア202, 204の開放を助ける。
【００４６】
ラッチ機構200を開くために、例えばボタン(図示せず)が押される。これにより、ボーデン・ケーブル220の遠隔端部が前述の機構の1つによって引張られることになる。ボーデン・ケーブル220が引張られると、回転磁石206, 208、磁石キャリヤ218, 219、及びフック形爪234, 236が係止位置から非係止位置まで回転させられる。この作用は、フック形爪234, 236をこれらのそれぞれのストライカ224, 226から係合解離する。このことはドア202, 204を機械的に解放する。加えて、磁石206, 208は、これらの磁石がドア202, 204に取付けられた磁気挿入体214, 216を跳ね返す非係止位置まで回転させられ、ドアを強制的に開放旋回させる。一旦磁石206, 208に磁気挿入体214, 216の磁界の影響がなくなり、ボーデン・ケーブル220が解放されると、磁石206, 208のうちの一方のN極の、磁石206, 208のうちの他方のS極に対する磁気吸引作用、又はその逆の磁気吸引作用が、回転磁石206, 208、磁石キャリヤ218, 219、及びフック形爪234, 236を、これらの非係止位置の近くに維持することになる。図示の実施態様の場合、回転磁石206のN極の、磁石208のS極に対する磁気吸引作用が、回転磁石206, 208、磁石キャリヤ218, 219、及びフック形爪234, 236を、非係止位置に十分に近い位置に維持するので、回転磁石206, 208及びフック形爪234, 236は、ドア202, 204が閉位置に向かって動かされるにつれてドア202, 204を閉位置に固定する用意ができている。
【００４７】
ドア202, 204を閉じるためには、ドア202, 204のうちの一方が押されて閉じられる。この行為は、ドア間の機械的連結を介して他方のドアを引張って閉じる(図示せず)が、しかし、連結の遊びにより一方のドアが他方のドアに遅れを取ることになる。一旦ドア202, 204が閉鎖状態に近くなると、回転磁石206, 208、磁石キャリヤ218, 219、及びフック形爪234, 236は、磁気挿入体214, 216の磁界の影響下で係止位置に向かって回転し始めるので、これらは図37に示したものと同様の中間位置にあるようになる。この時点で、磁気挿入体214, 216とこれらのそれぞれの回転磁石206, 208との間の強力な磁気吸引作用が、遅延側ドアを加速させるので、両方のドアが同時に閉じ、そして回転磁石206, 208、及びフック形爪234, 236は同時にこれらの係止位置まで回転する。この時点で、フック形爪234, 236はストライカ224, 226に係合し、そして磁気挿入体214, 216とこれらのそれぞれの回転磁石206, 208との間に強力な磁気吸引作用が存在する。従って、両ドアは閉位置に機械的且つ磁気的に保持される。このように、磁気ラッチ機構200は、ドア202, 204の機械的連結の遊び、及び閉鎖状態に近いドア間の位置の相違を許容し、しかもドアを面一に、そして同時に閉じる係止システムを提供する。
【００４８】
ドア202, 204間のラグが著しく大きい場合、一方のドアが、遅延側ドアがその閉位置に達する前に完全に閉鎖して、両回転磁石206, 208及び両フック形爪234, 236をこれらのそれぞれの係止位置に動かすことができる。このような事例の場合、遅延側ドアのストライカは、前述のようにそれぞれのフック形爪を経路から外すように動かし、そして、それぞれのフック形爪及びそれぞれの回転磁石が係止位置に戻る閉位置に遅延側ドアが動くことを可能にすることにより、今まで遅れを取っているドアを閉位置に固定する。磁石キャリヤ218, 219間は連結されているので、既に閉じられている先行側のドアに対応するフック形爪は、そのそれぞれのストライカから一時的に係合解離することができるが、しかし、先行側のドアは磁気吸引作用により閉じられたままとなるので、遅延側ドアが完全に閉じられると、先行側ドアのそれぞれのフック形爪はそのそれぞれのストライカに再係合することができる。遅延側ドアの閉鎖中における回転磁石の運動は十分に僅かであるので、今説明したような遅延側ドアの閉鎖を達成するのに十分に強力な吸引作用が、遅延側ドアのストライカとそれぞれの回転磁石との間に遅延側ドアを閉じている間中ずっと存在することが、フック形爪とこれらのそれぞれのストライカとの相対的比率から明らかである。
【００４９】
図84〜152を参照すると、本発明によるデュアル回転磁石を有する磁気ラッチ機構の実施態様300を見ることができる。ラッチ機構300は、2つの回転磁石306及び308を使用して、2つのドア302及び304を閉位置に実質的に同時に固定するように構成された遠隔操作型ラッチ機構である。ラッチ機構300は、ドア302, 304の旋回軸又はヒンジの間に、互いに平行で離隔した回転軸を中心として回転するように支持された回転磁石306, 308を有する状態で取付けられるように構成されている。また回転磁石306, 308は同じ方向に回転する。回転磁石306及び308のそれぞれは、別個の磁石キャリヤ318, 319によって支持される。各磁石キャリヤ318, 319はハウジング332によって回転可能に支持されている。回転磁石306, 308のそれぞれは、回転磁石とそのそれぞれの磁石キャリヤとが一体のものとして回転するように、それぞれの磁石キャリヤ318, 319に取付けられている。回転磁石306, 308のそれぞれ、及びこれらのそれぞれの磁石キャリヤ318, 319は、それぞれの係止位置と非係止位置との間で回転運動可能である。
【００５０】
磁気ラッチ機構300はまた、対を成すフック形爪334, 336を含む。各フック形爪334, 336は、フック形爪334, 336とそれぞれの磁石キャリヤ318, 319とが一体のものとして回転するように、それぞれの磁石キャリヤ318, 319によって支持される。各フック形爪334, 336はフック形ヘッド322を有している。フック形ヘッド322は、それぞれの磁石キャリヤ318, 319とは反対側のベベル・カム面338と、それぞれの磁石キャリヤ318, 319に面したキャッチ面344とを有している。
【００５１】
磁気ラッチ機構300はまた、それぞれドア302及び304に取付けることができる磁気挿入体314及び316を含む。磁気挿入体314及び316のそれぞれは、回転磁石306, 308のそれぞれ1つに対応する。回転磁石306, 308が係止位置にあり、そしてドア302及び304が閉位置にあるときには、それぞれの磁気挿入体314, 316に面した回転磁石306, 308のそれぞれの極は、それぞれの回転磁石306, 308に面した磁気挿入体314, 316の極とは対向する型(すなわちN極、S極)を有する。図示の例の場合、磁気挿入体314, 316は、ドア302及び304が閉位置にあるときに、磁気挿入体のS極がそれぞれの回転磁石306, 308に面するように位置決めされている。また図示の例の場合、回転磁石306, 308は、回転磁石306, 308及びこれらのキャリヤが係止位置にあり、そしてドア302及び304が閉位置にあるときに、磁気挿入体のN極がそれぞれの磁気挿入体314, 316に面するように、キャリヤ318, 319内に位置決めされている。従って、各回転磁石306, 308とそのそれぞれの磁気挿入体314, 316との間には吸引力が作用し、その結果、磁気挿入体314, 316が取付けられたドア302, 304が閉位置に保持される。
【００５２】
さらに、フック形爪334, 336は、閉位置から開位置へのドア302, 304の運動を機械的にブロックするために、それぞれのストライカ324, 326に係合する。この構成要件は、ドア302, 304が、ドア302, 304によって守られるコンパートメントの外部から強制的にこじ開けられるのを防止する。
【００５３】
磁気ラッチ機構300は、ストライカ324, 326対を含む。ストライカ324, 326のそれぞれは、フック形爪334, 336対のそれぞれ一方に対応する。各ストライカ324, 326は、ストライカがそれぞれのドアの内面から離隔し、そしてフック形爪334, 336のヘッド322がそれぞれのストライカ324, 326とそれぞれのドア302, 304との間に嵌合できるように、それぞれのドア302, 304によって支持されている。各ストライカ324, 326は、それぞれのドア302, 304とは反対側のカム面328と、それぞれのドア302, 304に面したキャッチ面330とを有している。それぞれのドアが閉位置に動かされようとするときにそれぞれのフック形爪が偶然係止位置にある場合、ストライカ324, 326の経路から爪を外すように動かし、そしてそれぞれのドアが閉位置に動くのを可能にするために、各ストライカのカム面328は、それぞれのフック形爪334, 336のカム面338と相互作用することができる。一旦ドア302, 304が閉位置に入ると、それぞれの回転磁石306, 308とそれぞれの磁気挿入体314, 316との間の磁気吸引作用が、それぞれのフック形爪334, 336を係止位置に動かす。係止位置において、それぞれのフック形爪334, 336のヘッド322は、それぞれのストライカ324, 326とそれぞれのドア302, 304との間に位置決めされ、この場所で、それぞれのフック形爪334, 336のキャッチ面344は、それぞれのストライカ324, 326のキャッチ面330に係合することができ、これにより、閉位置から開位置へのそれぞれのドア302, 304の運動を機械的にブロックする。
【００５４】
回転磁石306, 308が非係止位置にあり(図95、96、98、151及び152に示す)、そしてドア302, 304が閉位置にある(図92及び94に示す)ときには、回転磁石306, 308に面したそれぞれの磁気挿入体314, 316の極とは対向する型(すなわちN極、S極)を有する回転磁石306, 308のそれぞれの極は、それぞれの磁気挿入体314, 316から隔たるように位置決めされるのに対して、回転磁石306, 308に面したそれぞれの磁気挿入体314, 316の極と同じ型を有する回転磁石306, 308のそれぞれの極は、回転磁石306, 308の係止位置に対して、それぞれの磁気挿入体314, 316により近接するように位置決めされる。非係止位置では、各回転磁石306, 308とそれぞれの磁気挿入体314, 316との同じ極間の反発力が、各回転磁石306, 308とそれぞれの磁気挿入体314, 316との対向極間の吸引力を克服する。従って、各回転磁石306, 308とそれぞれの磁気挿入体314, 316との間に、正味の反発力が作用する。加えて、フック形爪334, 336は回転磁石306, 308及びこれらの磁石キャリヤ318, 319とともに、非係止位置まで回転し、これにより、ドア302, 304の開放に対する機械的な障害が取除かれ、その結果、磁気挿入体314, 316が取付けられたドア302, 304が閉位置から開位置に向かって動かされる。
【００５５】
図示の例において、ドア302, 304がこれらの閉位置にあるときには、磁気挿入体314, 316は、これらのS極がそれぞれの回転磁石306, 308に面するように位置決めされていることを想起されたい。図示の例において、回転磁石306, 308及びこれらのキャリヤ318, 319が係止位置から非係止位置に動くのにつれて、回転磁石306, 308のN極がそれぞれの磁気挿入体314, 316のS極から離れるように動き、そして回転磁石306, 308のS極が磁気挿入体314, 316のS極に向かって動くので、回転磁石306, 308が非係止位置に達すると、各回転磁石306, 308とそのそれぞれの磁気挿入体314, 316との間に、正味反発力が作用する。
【００５６】
回転磁石306, 308及びこれらのキャリヤ318, 319は、係止位置から非係止位置に動くのにつれて、10°超、180°以下の角度範囲を通して動く。より好ましくは、回転磁石306, 308及びこれらのキャリヤ318, 319は、係止位置から非係止位置に動くのにつれて、30°以上、180°以下の角度範囲を通して動く。さらにより好ましくは、回転磁石306, 308及びこれらのキャリヤ318, 319は、係止位置から非係止位置に動くのにつれて、45°以上、145°以下の角度範囲を通して動く。さらにより好ましくは、回転磁石306, 308及びこれらのキャリヤ318, 319は、係止位置から非係止位置に動くのにつれて、60°以上、120°以下の角度範囲を通して動く。
【００５７】
それぞれの回転磁石306, 308の対向型極は、係止位置において、それぞれの回転磁石306, 308に面する磁気挿入体314, 316の極に、直接には面する必要はない。回転磁石306, 308は、回転磁石の対向型極とこれらのそれぞれの磁気挿入体の対向型極との間の好ましい直接対面関係から、0°≦θ<90°の角度θだけ逸脱してよい。回転磁石306, 308に対するフック形爪の位置はもちろん相応に調節されなければならない。もちろん、回転磁石の対向型極とこれらのそれぞれの磁気挿入体の対向型極との間の直接対面関係(すなわち0°又は約0°を成す)が、係止位置にとって好ましい。なぜならば、その位置は、ラッチ機構に最大の保持力を与えるからである。
【００５８】
各磁気挿入体314, 316は、それぞれ磁気挿入体ハウジング376, 378内に挿入されることによって、ドア302, 304のそれぞれ1つに取付けられている。磁気挿入体ハウジング376, 378はドア302, 304のそれぞれ1つに取付けられている。図示の例において、磁気挿入体ハウジング376, 378は、ねじ380によってドア302, 304に取付けられている。
【００５９】
磁気挿入体ハウジング376, 378をドア302, 304に取付けるための手段は、本発明にとってさほど重要ではなく、ねじ、リベット、ピン、釘及び接着剤を含む任意の好適な締結手段が使用されてよい。さらに、磁気挿入体ハウジング376, 378は、ドア302, 304と一体構造を有していてよい。磁気挿入体ハウジング376, 378を全体的に省くこともでき、また、磁気挿入体314, 316はドア302, 304に直接に取付けることができる。ハウジング376, 378と同様に、磁気挿入体314, 316をドア302, 304に取付けるために、ねじ、リベット、ピン、釘及び接着剤を含む任意の好適な締結手段を使用することができる。さらに別の代わりの実施態様として、磁気挿入体314, 316は、ドア302, 304の材料内に埋込むこともできる。
【００６０】
図示の実施態様の場合、ストライカ324, 326は、それぞれ磁気挿入体ハウジング376, 378と一体構造を有する。ハウジング376, 378と同様に、ストライカ324, 326をドア302, 304に取付けるための手段は、本発明にとってさほど重要ではない。フック形爪334, 336のヘッド322がそれぞれのストライカ324, 326とそれぞれのドア302, 304との間に嵌合するように、それぞれのドアの内面から十分な量の間隔を置いてストライカが配置されるように、ストライカ324, 326を支持する任意の好適な構造を採用することができ、そして、それぞれのドアに構造を取付けるために、ねじ、リベット、ピン、釘及び接着剤を含む任意の好適な締結手段を使用することができる。さらに、ストライカ324, 326は、ドア302, 304と一体構造を有してよい。
【００６１】
磁気ラッチ機構300は、それぞれ回転磁石306, 308が取付けられた磁石キャリヤ318, 319を回転可能に支持するハウジング232を含む。ハウジング332の上側開口301及び305は、ストライカ324, 326を係止位置に係合するために、フック形爪334, 336がハウジング332から外方へ延びるのを可能にする。
【００６２】
各磁石キャリヤ318, 319は、それぞれの回転磁石306, 308を受容するための容器384, 386を含む。各磁石キャリヤ318, 319は、スピンドル対340, 342及び350, 352をそれぞれ有しており、各スピンドル対はそれぞれの容器384, 386の対向側で外方に向かって突出している。容器384, 386、及び結果としてキャリヤ318, 319は、ハウジング332の長手方向軸線に沿って縦一列で位置決めされており、この場合回転軸は、ハウジング332の長手方向軸に対して横方向、すなわち垂直である。スピンドル340, 342, 350, 352は、ハウジング232の側方の穴354, 356, 358, 360内にそれぞれ受容され、そしてこれらの穴によってそれぞれ回転可能に支持される。ハウジング332は、ハウジング332の一方の側を形成するカバー部分333と、カバー部分333と協働して、磁気ラッチ機構300の種々の成分の大部分が受容されるスペースを画定するケーシング部分335とを有している。ケーシング部分335及びカバー部分333、そして結果としてハウジング332は、回転磁石区画337とギア区画339とモータ区画341とに分割されている。スピンドル340及び350は、カバー部分333が取り外されているとき、組立て中に、それぞれ穴354及び358内に挿入される。スピンドル342及び352は、カバー部分333がケーシング部分335に固定されたときに穴356及び360内に受容される。このように磁石キャリヤ318, 319はハウジング332によって回転可能に支持されている。ハウジング332内で磁石キャリヤ318, 319を回転可能に支持するために用いられる具体的な様式は、本発明にとってさほど重要ではない。ハウジング332内にキャリヤ318, 319を回転可能に支持するための図示の様式は、組立てやすさを目的として選択された。或いは、キャリヤ318, 319は、アクスル、シャフト又はピンの使用を介して、又は穴354, 356, 358, 360の代わりに使用された他のタイプの軸受け装置を用いて、ハウジング332によって回転するように支持することもできる。さらに別の実施態様としては、キャリヤ318, 319をハウジング332内にスナップ嵌合することができ、この場合スピンドル340, 342, 350, 352は、スピンドルを回転可能に支持する好適な軸受け構造内にスナップ嵌合する。
【００６３】
各フック形爪334, 336は、そのそれぞれの磁石キャリヤ318, 319と一体的に形成されている。従って、各容器384, 386とそれぞれのフック形爪334, 336との間には相対回転はなく、そして、各フック形爪334, 336とそれぞれの容器384, 386と、結果としてそれぞれの磁石キャリヤ318, 319とは、一体のものとして回転する。
【００６４】
或いは、フック形爪334, 336は、磁石キャリヤ318, 319とは別個に形成し、そして各フック形爪334, 336がそのそれぞれの磁石キャリヤと一体のものとして回転するのを可能にするように、磁気キャリヤに取付けることもできる。さらに別の実施態様として、フック形爪と磁石キャリヤとが別個の部分として形成される場合、各キャリヤ318, 319とそれぞれのフック形爪334, 336との間の或る特定の範囲の相対運動を提供することもできる。このような場合、各フック形爪334, 336は、それぞれのキャリヤ318, 319に対して図示された現在の位置に向かってばね付勢される必要がある。この相対運動は、それぞれのドアが閉位置に動かされようとするときにそれぞれのフック形爪が偶然係止位置にある場合、それぞれの回転磁石306, 308を動かす必要なしに、各フック形爪334, 336がそれぞれのストライカ324, 326の経路から外れて動くことを可能にし、そしてそれぞれのドアが閉位置に動くのを可能にする。
【００６５】
各磁石キャリヤ318, 319はまた、それぞれ複数のギア歯387及び389を有している。各ギア歯集合387, 389は、それぞれの磁石キャリヤ318, 319の回転軸にセンタリングされた円のセクタによって画定された円弧に沿って分配されている。それぞれの磁石キャリヤ318, 319の回転軸は、もちろん、各磁石キャリヤ318, 319のそれぞれのスピンドル対340, 342及び350, 352の中心軸によって画定される。各磁石キャリヤ318, 319のギア歯集合387, 389は、各磁石キャリヤのそれぞれの容器384, 386によって支持されており、そしてこの容器と一体的である。磁石キャリヤ318, 319のうちの少なくとも一方におけるギア歯387及び389のいくつかは、磁石キャリヤ318, 319が両方とも非係止位置にあるときに、他方の磁石キャリヤ318, 319のフック形爪334, 336にクリアランスを提供するために、ギア歯の残りに対して一方の側にシフトすることができる。ラックバー317のギア歯313は、必要に応じて、シフトされた、そしてシフトされていないギア歯387, 389の両方に適正に係合するのに十分に幅広である。
【００６６】
ラッチ機構300は、2つのギア歯集合313及び315が長さに沿って分配されたラックバー317を含む。各ギア歯集合313及び315は複数のギア歯を含む。ギア歯313及び315は、互いに直角を成して配向されている。ギア歯313は、磁石キャリヤ318, 319がラックバー317によって連結されるように、ギア歯387, 389とコンスタントに噛合っている。ラックバー317は、図85、86、88、94、97、149及び150に示された係止位置と、図95、98、151、及び152に示された非係止位置との間で、その長手方向軸の方向で直線前後運動をするように支持されている。デュアル・ドア302, 304の同時の開放を可能にするために共通の作動機構によって磁石キャリヤ318, 319及び回転磁石306, 308を係止位置から非係止位置に動かすことができるように、ラックバー317は磁石キャリヤ318, 319を調和して動かす。ラックバー317は、ラッチ機構300を作動させるためにボーデン・ケーブル320の端部の円筒形ドエル309を受容するように適合された容器307を有する。容器307は、少なくとも一方の側で開いた円筒形バレル又はスリーブの形態を成している。L字形スロット311は、バレル形の容器307の壁を切抜いている。L字形スロット311は容器307の長さに沿って、容器307の開いた端部から容器307のほぼ中央に延びている。その位置から、L字形スロット311は、容器307のバレルの長手方向に対して直角の円弧に沿って延び、こうして「L」字形を形成している。スロット311は、ボーデン・ケーブル320がスロット311を通って延びるのを可能にするのに十分に幅広である。ドエル309は球形であってもよく、或いは、スロット311を貫くようにこれに嵌ることはないがしかし容器307内に嵌合するような任意の他の形状及びサイズを有することもできる。
【００６７】
ハウジング332は、ボーデン・ケーブル320の被覆体323の一方の端部を支持することができるU字形スロット310を備えたブラケット303を有する。ボーデン・ケーブル320は、ラッチ機構300の遠隔操作を可能にする。ボーデン・ケーブル320の被覆体323の一方の端部がブラケット303のU字形スロット310内に取付けられ、そしてドエル309が容器307内に位置決めされた状態で、ボーデン・ケーブル320の遠隔端部(図示せず)を引張ると、ラックバー317が係止位置から非係止位置まで直線運動させられ、そしてその結果、回転磁石306, 308、磁石キャリヤ318, 319、及びフック形爪334, 336が、最初は係止位置にあると想定して、係止位置から非係止位置まで回転させられる。
【００６８】
ボーデン・ケーブル320の遠隔端部は、手動で、又は電気的なアクチュエータを使用することによって引張ることができる。ラッチ機構300の手動又は電気操作のための使用者インタフェイスとしては、それぞれ、一般に何らかのタイプの遠隔配置されたハンドル又は押しボタンが提供される。
【００６９】
ハウジング332をフレーム又はコンパートメント394に装着することにより、ラッチ機構300はフレーム又はコンパートメント394に装着される。回転磁石306及び308は、磁気挿入体314, 316の位置から見たときに露出されるか又は可視である必要はない。しかし、フック形爪334, 336が、これらが係止位置まで回転するにつれてストライカ324, 326に係合するようにドアフレーム394を通って延びるのを可能にするスロット396及び398などがドアフレーム394内に設けられていなければならない。ハウジング332をドアフレーム394に取付けるための手段は、本発明にとってはさほど重要ではなく、ねじ、リベット、ピン、釘及び接着剤を含む任意の好適な締結手段が使用されてよい。さらに、ハウジング332は、ドアフレーム394と一体構造を有していてよい。
【００７０】
磁石306, 308は、ドアが両方とも正しく係止するのを保証するために、ドア302, 304を引張る。磁石306, 308は、閉位置におけるドア302, 304の最終的な運動及び位置及びギャップ条件を制御する。機構が係止されていない場合、磁石306, 308はまたドア302, 304の開放を助ける。
【００７１】
ラッチ機構300を開くために、例えばボタン(図示せず)が押される。これにより、ボーデン・ケーブル320の遠隔端部が前述の機構の1つによって引張られることになる。ボーデン・ケーブル320が引張られると、回転磁石306, 308、磁石キャリヤ318, 319、及びフック形爪334, 336が係止位置から非係止位置まで回転させられる。この作用は、フック形爪334, 336をこれらのそれぞれのストライカ324, 326から係合解離する。このことはドア302, 304を機械的に解放する。加えて、磁石306, 308は、これらの磁石がドア302, 304に取付けられた磁気挿入体314, 316を跳ね返す非係止位置まで回転させられ、ドアを強制的に開放旋回させる。一旦磁石306, 308に磁気挿入体314, 316の磁界の影響がなくなり、ボーデン・ケーブル320が解放されると、磁石306, 308のうちの一方のN極の、磁石306, 308のうちの他方のS極に対する磁気吸引作用、又はその逆の磁気吸引作用が、回転磁石306, 308、磁石キャリヤ318, 319、及びフック形爪334, 336を、これらの非係止位置の近くに維持することになる。図示の実施態様の場合、回転磁石306のN極の、磁石308のS極に対する磁気吸引作用が、回転磁石306, 308、磁石キャリヤ318, 319、及びフック形爪334, 336を、非係止位置に十分に近い位置に維持するので、回転磁石306, 308及びフック形爪334, 336は、ドア302, 304が閉位置に向かって動かされるにつれてドア302, 304を閉位置に固定する用意ができている。
【００７２】
ドア302, 304を閉じるためには、ドア302, 304のうちの一方が押されて閉じられる。この行為は、ドア間の機械的連結を介して他方のドアを引張って閉じる(図示せず)が、しかし、連結の遊びにより一方のドアが他方のドアに遅れを取ることになる。一旦ドア302, 304が閉鎖状態に近くなると、回転磁石306, 308、磁石キャリヤ318, 319、及びフック形爪334, 336は、磁気挿入体314, 316の磁界の影響下で係止位置に向かって回転し始めるので、これらは図120に示したものと同様の中間位置にあるようになる。この時点で、磁気挿入体314, 316とこれらのそれぞれの回転磁石306, 308との間の強力な磁気吸引作用が、遅延側ドアを加速させるので、両方のドアが同時に閉じ、そして回転磁石306, 308、及びフック形爪334, 336は同時にこれらの係止位置まで回転する。この時点で、フック形爪334, 336はストライカ324, 326に係合し、そして磁気挿入体314, 316とこれらのそれぞれの回転磁石306, 308との間に強力な磁気吸引作用が存在する。従って、両ドアは閉位置に機械的且つ磁気的に保持される。このように、磁気ラッチ機構300は、ドア302, 304の機械的連結の遊び、及び閉鎖状態に近いドア間の位置の相違を許容し、しかもドアを面一に、そして同時に閉じる係止システムを提供する。
【００７３】
ドア302, 304間のラグが著しく大きい場合、一方のドアが、遅延側ドアがその閉位置に達する前に完全に閉鎖して、両回転磁石306, 308及び両フック形爪334, 336をこれらのそれぞれの係止位置に動かすことができる。このような事例の場合、遅延側ドアのストライカは、前述のようにそれぞれのフック形爪を経路から外すように動かし、そして、それぞれのフック形爪及びそれぞれの回転磁石が係止位置に戻る閉位置に遅延側ドアが動くことを可能にすることにより、今まで遅れを取っているドアを閉位置に固定する。磁石キャリヤ318, 319間は連結されているので、既に閉じられている先行側のドアに対応するフック形爪は、そのそれぞれのストライカから一時的に係合解離することができるが、しかし、先行側のドアは磁気吸引作用により閉じられたままとなるので、遅延側ドアが完全に閉じられると、先行側ドアのそれぞれのフック形爪はそのそれぞれのストライカに再係合することができる。遅延側ドアの閉鎖中における回転磁石の運動は十分に僅かであるので、今説明したような遅延側ドアの閉鎖を達成するのに十分に強力な吸引作用が、遅延側ドアのストライカとそれぞれの回転磁石との間に遅延側ドアを閉じている間中ずっと存在することが、フック形爪とこれらのそれぞれのストライカとの相対的比率から明らかである。
【００７４】
磁気ラッチ機構300は、ラックバー317を係止位置と非係止位置との間で長手方向軸の方法に選択的に動かすために、モータ駆動装置321を含むこともできる。こうして、モータ駆動装置321は、ボーデン・ケーブル320と同じ機能を果たし、そして例えば、磁気ラッチ機構300が電気的に作動されるのを可能にするためにモータ駆動装置321が提供される一方でボーデン・ケーブルが手動制御機能を提供するような用途において使用するために、ボーデン・ケーブル320に対する補助システムとして提供される。冗長電気作動システムが望ましい用途のために、ボーデン・ケーブル320が電気的に作動されることも好ましい。
【００７５】
モータ駆動装置321は、モータ325と減速ギアトレイン327とを含む。減速ギアトレイン327は、モータ325の出力シャフトによって駆動された第1小直径ギア329を含む。減速ギアトレイン327は、ギア329とコンスタントに噛合う第1大直径ギア331を含む。減速ギアトレイン327はさらに、ギア331とギア343とが同じ角速度で回転するように、ギア331と同じシャフト355上に支持された第2小直径ギア343を含む。加えて、減速ギアトレイン327は、ギア343とコンスタントに噛合う第2大直径ギア347を含む。さらに、減速ギアトレイン327はセクタギア349を含み、セクタギアは、円形平歯車のセクタに似ており、円のセクタの円弧に沿って分配された歯357を有しているので、このように呼ばれる。セクタギア349とギア347とは、セクタギア349とギア347とが同じ角速度で回転するように、同じシャフト351上に支持されている。シャフト355及び351の端部は、シャフト355及び351を回転可能に支持するためにハウジング332のギア区画339に設けられたジャーナル軸受け凹部353内に受容される。ジャーナル軸受け凹部353は、シャフト355及び351の端部がジャーナル軸受け凹部353内に位置決めされるのを可能にするために、漏斗状又は末広状の入口スロット359を備えている。ハウジング・カバー部分333は突起361を備えており、この突起361は、一旦カバー部分333がハウジング332の残りに固定されたら、すなわち、ハウジング332が完全に組立てられたら、対応する入口スロット359と噛合い、そして、シャフト355及び351の端部がジャーナル軸受け凹部353から脱落するのを防止する。モータ325は、モータ区画341内に少なくとも大部分が収容される。ギアトレイン327は、ギア区画339内にほとんどが収容される。ギア区画339は、セクタギア349の歯357がラックバー317のギア歯315に選択的に係合するのを可能にするために、回転磁石区画337と接続されている。
【００７６】
セクタギア349の歯357は、セクタギア349がその出発位置からその最終位置まで回転するとラックバー317が係止位置から非係止位置に動かされるように、ラックバー317のギア歯315に選択的に係合することができる。セクタギア349の出発位置は図149に示されている。出発位置において、セクタギア349の歯357はラックバー317のギア歯315には係合しないので、モータ駆動装置321が使用されていないときにボーデン・ケーブル320によってラックバー317を作動させることを、セクタギア349とモータ駆動装置321とが妨害することはない。モータ325が通電されると、セクタギア349はギアトレイン327内の他のギアの作用を介して回転するので、セクタギア349の歯357のうちの最初の歯が図150に示されているように、ラックバー317のギア歯315のうちの少なくとも1つと係合される。セクタギア349の回転が続くにつれて、ラックバー317は、係止位置から非係止位置に動かされ、非係止位置において、セクタギア349の歯357は、図151に示されているように、ラックバー317のギア歯315との係合状態からほとんど外される。非係止位置へのラックバー317の運動により、磁石キャリヤ318, 319は前述の非係止位置まで回転させられ、このことは、ドア302, 304の開放を可能にする。やはり前述のように、非係止位置において、磁石306, 308の対向極間の吸引作用は、ドア302, 304が閉位置に向かってもう一度動かされるまで、磁石キャリヤ318, 319を非係止位置に維持することになる。図152に示されているように、セクタギア349の歯357がラックバー317のギア歯315との係合状態から完全に外され、そしてセクタギア349がその最終位置に達するまでセクタギア349を回転させるために、モータ325は通電され続ける。図示の実施態様の場合、セクタギア349の出発位置と最終位置とは同じであって、セクタギア349が完全に一回転するようになっている。セクタギア349がもう一度出発位置にある状態で、セクタギア349は、次回モータ325が通電されたときに作業サイクルを繰り返す準備ができている。
【００７７】
本発明が上記実施態様に限定されないことは言うまでもない。さらに、発明の思想及び範囲を逸脱することなしに、上に開示された本発明の実施態様に、当業者によって、種々の改変、変更、及び適合を容易に施し得ることも明らかである。
【図面の簡単な説明】
【００７８】
【図１】図1は、本発明の磁気ラッチ機構の第1実施態様の回転磁石集成体を、回転磁石が係止位置にある状態で示す斜視図である。
【図２】図2は、本発明の磁気ラッチ機構の第1実施態様の回転磁石集成体を、回転磁石が非係止位置にある状態で示す斜視図である。
【図３】図3は、本発明の磁気ラッチ機構の第1実施態様の回転磁石を回転させるための機構の動作を、回転磁石が非係止位置にある状態で示す斜視図である。
【図４】図4は、本発明の磁気ラッチ機構の第1実施態様の回転磁石を回転させるための機構の動作を、回転磁石が係止位置にある状態で示す斜視図である。
【図５】図5は、本発明の磁気ラッチ機構の第1実施態様を組み込んだデュアル・ドアを備えたコンパートメントを、ドアが開位置にある状態で示す部分周囲図である。
【図６】図6は、本発明の磁気ラッチ機構の第1実施態様を組み込んだデュアル・ドアを備えたコンパートメントを、ドアが閉位置にある状態で示す部分周囲図である。
【図７】図7は、本発明の磁気ラッチ機構の第1実施態様を組み込んだデュアル・ドアを備えたコンパートメントを、ドアが閉位置にある状態で示す断面図である。
【図８】図8は、本発明の磁気ラッチ機構の第1実施態様を組み込んだデュアル・ドアを備えたコンパートメントを、ドアが開位置にある状態で示す断面図である。
【図９】図9は、本発明の磁気ラッチ機構の第1実施態様のハウジングを示す図である。
【図１０】図10は、本発明の磁気ラッチ機構の第1実施態様のハウジングを示す図である。
【図１１】図11は、本発明の磁気ラッチ機構の第1実施態様の回転磁石キャリヤを示す図である。
【図１２】図12は、本発明の磁気ラッチ機構の第1実施態様の回転磁石キャリヤを示す図である。
【図１３】図13は、本発明の磁気ラッチ機構の第1実施態様の回転磁石キャリヤを示す図である。
【図１４】図14は、本発明の磁気ラッチ機構の第1実施態様の回転磁石キャリヤを示す図である。
【図１５】図15は、本発明の磁気ラッチ機構の第1実施態様の回転磁石キャリヤを示す図である。
【図１６】図16は、本発明の磁気ラッチ機構の第1実施態様の回転磁石キャリヤを示す図である。
【図１７】図17は、本発明の磁気ラッチ機構の第1実施態様の回転磁石キャリヤを示す図である。
【図１８】図18は、本発明の磁気ラッチ機構の第1実施態様の回転磁石キャリヤを示す図である。
【図１９】図19は、本発明の磁気ラッチ機構の第1実施態様の作業ロッドを示す図である。
【図２０】図20は、本発明の磁気ラッチ機構の第1実施態様の作業ロッドを示す図である。
【図２１】図21は、本発明の磁気ラッチ機構の第1実施態様の集成体配列を示す図である。
【図２２】図22は、本発明の磁気ラッチ機構の第1実施態様の集成体配列を示す図である。
【図２３】図23は、本発明の磁気ラッチ機構の第1実施態様の集成体配列を示す図である。
【図２４】図24は、本発明の磁気ラッチ機構の第1実施態様の集成体配列を示す図である。
【図２５】図25は、本発明の磁気ラッチ機構の第1実施態様の集成体配列を示す図である。
【図２６】図26は、本発明の磁気ラッチ機構の第1実施態様の集成体配列を示す図である。
【図２７】図27は、本発明の磁気ラッチ機構の第1実施態様の集成体配列を示す図である。
【図２８】図28は、本発明の磁気ラッチ機構の第2実施態様を組み込んだデュアル・ドアを備えたコンパートメントを、ドアが開位置にある状態で示す部分周囲図である。
【図２９】図29は、本発明の磁気ラッチ機構の第2実施態様を組み込んだデュアル・ドアを備えたコンパートメントを、ドアが閉位置にある状態で示す部分周囲図である。
【図３０】図30は、本発明の磁気ラッチ機構の第2実施態様の回転磁石集成体を、回転磁石及びフック形爪が係止位置にある状態で示す図である。
【図３１】図31は、本発明の磁気ラッチ機構の第2実施態様の回転磁石集成体を、回転磁石及びフック形爪が係止位置にある状態で示す図である。
【図３２】図32は、本発明の磁気ラッチ機構の第2実施態様の回転磁石集成体を、回転磁石及びフック形爪が係止位置にある状態で示す図である。
【図３３】図33は、本発明の磁気ラッチ機構の第2実施態様の回転磁石集成体を、回転磁石及びフック形爪が係止位置にある状態で示す図である。
【図３４】図34は、本発明の磁気ラッチ機構の第2実施態様の回転磁石集成体を、回転磁石及びフック形爪が係止位置にある状態で示す図である。
【図３５】図35は、本発明の磁気ラッチ機構の第2実施態様の回転磁石集成体を、回転磁石及びフック形爪が係止位置にある状態で示す図である。
【図３６】図36は、本発明の磁気ラッチ機構の第2実施態様の回転磁石集成体を、回転磁石及びフック形爪が係止位置にある状態で示す斜視図である。
【図３７】図37は、本発明の磁気ラッチ機構の第2実施態様の回転磁石集成体を、回転磁石及びフック形爪が係止位置と非係止位置との中間の位置にある状態で示す斜視図である。
【図３８】図38は、本発明の磁気ラッチ機構の第2実施態様の回転磁石集成体を、回転磁石及びフック形爪が非係止位置にある状態で示す斜視図である。
【図３９】図39は、本発明の磁気ラッチ機構の第2実施態様を組み込んだデュアル・ドアを備えたコンパートメントを、回転磁石及びフック形爪が係止位置にある状態で示す断面図である。
【図４０】図40は、本発明の磁気ラッチ機構の第2実施態様を組み込んだデュアル・ドアを備えたコンパートメントを、回転磁石及びフック形爪が非係止位置にある状態で示す断面図である。
【図４１】図41は、本発明の磁気ラッチ機構の第2実施態様のハウジングを示す図である。
【図４２】図42は、本発明の磁気ラッチ機構の第2実施態様のハウジングを示す図である。
【図４３】図43は、本発明の磁気ラッチ機構の第2実施態様のハウジングを示す図である。
【図４４】図44は、本発明の磁気ラッチ機構の第2実施態様のハウジングを示す図である。
【図４５】図45は、本発明の磁気ラッチ機構の第2実施態様のハウジングを示す図である。
【図４６】図46は、本発明の磁気ラッチ機構の第2実施態様のハウジングを示す図である。
【図４７】図47は、本発明の磁気ラッチ機構の第2実施態様の回転磁石キャリヤを示す図である。
【図４８】図48は、本発明の磁気ラッチ機構の第2実施態様の回転磁石キャリヤを示す図である。
【図４９】図49は、本発明の磁気ラッチ機構の第2実施態様の回転磁石キャリヤを示す図である。
【図５０】図50は、本発明の磁気ラッチ機構の第2実施態様の回転磁石キャリヤを示す図である。
【図５１】図51は、本発明の磁気ラッチ機構の第2実施態様の回転磁石キャリヤを示す図である。
【図５２】図52は、本発明の磁気ラッチ機構の第2実施態様の回転磁石キャリヤを示す図である。
【図５３】図53は、本発明の磁気ラッチ機構の第2実施態様の回転磁石キャリヤを示す図である。
【図５４】図54は、本発明の磁気ラッチ機構の第2実施態様のフック形爪を示す図である。
【図５５】図55は、本発明の磁気ラッチ機構の第2実施態様のフック形爪を示す図である。
【図５６】図56は、本発明の磁気ラッチ機構の第2実施態様のフック形爪を示す図である。
【図５７】図57は、本発明の磁気ラッチ機構の第2実施態様のフック形爪を示す図である。
【図５８】図58は、本発明の磁気ラッチ機構の第2実施態様のフック形爪を示す図である。
【図５９】図59は、本発明の磁気ラッチ機構の第2実施態様のフック形爪を示す図である。
【図６０】図60は、本発明の磁気ラッチ機構の第2実施態様のフック形爪を示す図である。
【図６８】図68は、本発明の磁気ラッチ機構の第2実施態様の一体ストライカを有する磁気挿入体ハウジングを示す図である。
【図６９】図69は、本発明の磁気ラッチ機構の第2実施態様の一体ストライカを有する磁気挿入体ハウジングを示す図である。
【図７０】図70は、本発明の磁気ラッチ機構の第2実施態様の一体ストライカを有する磁気挿入体ハウジングを示す図である。
【図７１】図71は、本発明の磁気ラッチ機構の第2実施態様の一体ストライカを有する磁気挿入体ハウジングを示す図である。
【図７２】図72は、本発明の磁気ラッチ機構の第2実施態様の一体ストライカを有する磁気挿入体ハウジングを示す図である。
【図７３】図73は、本発明の磁気ラッチ機構の第2実施態様の一体ストライカを有する磁気挿入体ハウジングを示す図である。
【図７４】図74は、本発明の磁気ラッチ機構の第2実施態様の一体ストライカを有する磁気挿入体ハウジングを示す図である。
【図７５】図75は、本発明の磁気ラッチ機構の第2実施態様の一体ストライカを有する磁気挿入体ハウジングを示す図である。
【図７６】図76は、本発明の磁気ラッチ機構の第2実施態様の集成体配列を示す図である。
【図７７】図77は、本発明の磁気ラッチ機構の第2実施態様の集成体配列を示す図である。
【図７８】図78は、本発明の磁気ラッチ機構の第2実施態様の集成体配列を示す図である。
【図７９】図79は、本発明の磁気ラッチ機構の第2実施態様の集成体配列を示す図である。
【図８０】図80は、本発明の磁気ラッチ機構の第2実施態様の集成体配列を示す図である。
【図８１】図81は、本発明の磁気ラッチ機構の第2実施態様の集成体配列を示す図である。
【図８２】図82は、本発明の磁気ラッチ機構の第2実施態様の集成体配列を示す図である。
【図８３】図83は、本発明の磁気ラッチ機構の第2実施態様の集成体配列を示す図である。
【図８４】図84は、本発明の磁気ラッチ機構を、回転磁石が係止位置にある状態で示す斜視図である。
【図８５】図85は、本発明の磁気ラッチ機構を、内部の詳細を明らかにするためにハウジング・カバーが除去され、そして回転磁石が係止位置にある状態で示す斜視図である。
【図８６】図86は、本発明の磁気ラッチ機構を、回転磁石が係止位置にある状態で示す左側面図である。
【図８７】図87は、本発明の磁気ラッチ機構を、回転磁石が係止位置にある状態で示す正面図である。
【図８８】図88は、本発明の磁気ラッチ機構を、回転磁石が係止位置にある状態で示す右側面図である。
【図８９】図89は、本発明の磁気ラッチ機構を、回転磁石が係止位置にある状態で示す背面図である。
【図９０】図90は、本発明の磁気ラッチ機構を、回転磁石が係止位置にある状態で示す頂面図である。
【図９１】図91は、本発明の磁気ラッチ機構を、回転磁石が係止位置にある状態で示す底面図である。
【図９２】図92は、本発明の磁気ラッチ機構を組み込んだデュアル・ドアを備えたコンパートメントを、ドアが閉位置にある状態で示す部分周囲図である。
【図９３】図93は、本発明の磁気ラッチ機構を組み込んだデュアル・ドアを備えたコンパートメントを、ドアが開位置にある状態で示す部分周囲図である。
【図９４】図94は、本発明の磁気ラッチ機構を組み込んだデュアル・ドアを備えたコンパートメントを、ドアが閉位置にある状態で示す断面図である。
【図９５】図95は、本発明の磁気ラッチ機構を組み込んだデュアル・ドアを備えたコンパートメントを、ドアが開位置にある状態で示す断面図である。
【図９６】図96は、本発明の磁気ラッチ機構を、回転磁石が非係止位置にある状態で示す斜視図である。
【図９７】図97は、磁気ラッチ機構を作動させるためにボーデン・ケーブルが使用される場合の本発明の磁気ラッチ機構の動作を、回転磁石及びフック形爪が係止位置にある状態で示す部分図である。
【図９８】図98は、磁気ラッチ機構を作動させるためにボーデン・ケーブルが使用される場合の本発明の磁気ラッチ機構の動作を、回転磁石及びフック形爪が非係止位置にある状態で示す部分図である。
【図９９】図99は、本発明の磁気ラッチ機構のハウジングのケーシング部分を示す図である。
【図１００】図100は、本発明の磁気ラッチ機構のハウジングのケーシング部分を示す図である。
【図１０１】図101は、本発明の磁気ラッチ機構のハウジングのケーシング部分を示す図である。
【図１０２】図102は、本発明の磁気ラッチ機構のハウジングのケーシング部分を示す図である。
【図１０３】図103は、本発明の磁気ラッチ機構のハウジングのケーシング部分を示す図である。
【図１０４】図104は、本発明の磁気ラッチ機構のハウジングのケーシング部分を示す図である。
【図１０５】図105は、本発明の磁気ラッチ機構のハウジングのケーシング部分を示す図である。
【図１０６】図106は、本発明の磁気ラッチ機構のハウジングのケーシング部分を示す図である。
【図１０７】図107は、本発明の磁気ラッチ機構のハウジングのカバー部分を示す図である。
【図１０８】図108は、本発明の磁気ラッチ機構のハウジングのカバー部分を示す図である。
【図１０９】図109は、本発明の磁気ラッチ機構のハウジングのカバー部分を示す図である。
【図１１０】図110は、本発明の磁気ラッチ機構のハウジングのカバー部分を示す図である。
【図１１１】図111は、本発明の磁気ラッチ機構のハウジングのカバー部分を示す図である。
【図１１２】図112は、本発明の磁気ラッチ機構のハウジングのカバー部分を示す図である。
【図１１３】図113は、本発明の磁気ラッチ機構のハウジングのカバー部分を示す図である。
【図１１４】図114は、本発明の磁気ラッチ機構のハウジングのカバー部分を示す図である。
【図１１５】図115は、本発明の磁気ラッチ機構の磁石キャリヤ及び連携するフック形爪を示す図である。
【図１１６】図116は、本発明の磁気ラッチ機構の磁石キャリヤ及び連携するフック形爪を示す図である。
【図１１７】図117は、本発明の磁気ラッチ機構の磁石キャリヤ及び連携するフック形爪を示す図である。
【図１１８】図118は、本発明の磁気ラッチ機構の磁石キャリヤ及び連携するフック形爪を示す図である。
【図１１９】図119は、本発明の磁気ラッチ機構の磁石キャリヤ及び連携するフック形爪を示す図である。
【図１２０】図120は、本発明の磁気ラッチ機構の磁石キャリヤ及び連携するフック形爪を示す図である。
【図１２１】図121は、本発明の磁気ラッチ機構の磁石キャリヤ及び連携するフック形爪を示す図である。
【図１２２】図122は、本発明の磁気ラッチ機構の磁石キャリヤ及び連携するフック形爪を示す図である。
【図１２３】図123は、本発明の磁気ラッチ機構のラックバーを示す図である。
【図１２４】図124は、本発明の磁気ラッチ機構のラックバーを示す図である。
【図１２５】図125は、本発明の磁気ラッチ機構のラックバーを示す図である。
【図１２６】図126は、本発明の磁気ラッチ機構のラックバーを示す図である。
【図１２７】図127は、本発明の磁気ラッチ機構のラックバーを示す図である。
【図１２８】図128は、本発明の磁気ラッチ機構のラックバーを示す図である。
【図１２９】図129は、本発明の磁気ラッチ機構のラックバーを示す図である。
【図１３０】図130は、本発明の磁気ラッチ機構のラックバーを示す図である。
【図１３１】図131は、本発明の磁気ラッチ機構の大直径ギア及び同軸的なセクタギアの一方を示す図である。
【図１３２】図132は、本発明の磁気ラッチ機構の大直径ギア及び同軸的なセクタギアの一方を示す図である。
【図１３３】図133は、本発明の磁気ラッチ機構の大直径ギア及び同軸的なセクタギアの一方を示す図である。
【図１３４】図134は、本発明の磁気ラッチ機構の大直径ギア及び同軸的なセクタギアの一方を示す図である。
【図１３５】図135は、本発明の磁気ラッチ機構の大直径ギア及び同軸的なセクタギアの一方を示す図である。
【図１３６】図136は、本発明の磁気ラッチ機構の大直径ギア及び同軸的なセクタギアの一方を示す図である。
【図１３７】図137は、本発明の磁気ラッチ機構の大直径ギア及び同軸的なセクタギアの一方を示す図である。
【図１３８】図138は、本発明の磁気ラッチ機構の大直径ギア及び同軸的なセクタギアの一方を示す図である。
【図１３９】図139は、本発明の磁気ラッチ機構の大直径ギア及び同軸的な小直径ギアの一方を示す図である。
【図１４０】図140は、本発明の磁気ラッチ機構の大直径ギア及び同軸的な小直径ギアの一方を示す図である。
【図１４１】図141は、本発明の磁気ラッチ機構の大直径ギア及び同軸的な小直径ギアの一方を示す図である。
【図１４２】図142は、本発明の磁気ラッチ機構の大直径ギア及び同軸的な小直径ギアの一方を示す図である。
【図１４３】図143は、本発明の磁気ラッチ機構の大直径ギア及び同軸的な小直径ギアの一方を示す図である。
【図１４４】図144は、本発明の磁気ラッチ機構の大直径ギア及び同軸的な小直径ギアの一方を示す図である。
【図１４５】図145は、本発明の磁気ラッチ機構のモータ及びモータの出力軸に取付けられた小直径ギアを示す図である。
【図１４６】図146は、本発明の磁気ラッチ機構のモータ及びモータの出力軸に取付けられた小直径ギアを示す図である。
【図１４７】図147は、本発明の磁気ラッチ機構のモータ及びモータの出力軸に取付けられた小直径ギアを示す図である。
【図１４８】図148は、本発明の磁気ラッチ機構のモータ及びモータの出力軸に取付けられた小直径ギアを示す図である。
【図１４９】図149は、磁気ラッチ機構を作動させるためにモータ駆動装置が使用される場合の本発明の磁気ラッチ機構の動作を、回転磁石及びフック形爪が係止位置にあり、且つセクタギアが初期位置にある状態で示す部分透視図である。
【図１５０】図150は、磁気ラッチ機構を作動させるためにモータ駆動装置が使用される場合の本発明の磁気ラッチ機構の動作を、回転磁石及びフック形爪が係止位置にあり、且つセクタギアがラックバーに係合し始める状態で示す部分透視図である。
【図１５１】図151は、磁気ラッチ機構を作動させるためにモータ駆動装置が使用される場合の本発明の磁気ラッチ機構の動作を、回転磁石及びフック形爪が非係止位置にあり、且つセクタギアがラックバーから係合解離し始める状態で示す部分透視図である。
【図１５２】図152は、磁気ラッチ機構を作動させるためにモータ駆動装置が使用される場合の本発明の磁気ラッチ機構の動作を、回転磁石及びフック形爪が非係止位置にあり、且つセクタギアが最終位置にある状態で示す部分透視図である。
【図１】
2008538801.tif 000003
【図２】
2008538801.tif 000004
【図３】
2008538801.tif 000005
【図４】
2008538801.tif 000006
【図５】
2008538801.tif 000007
【図６】
2008538801.tif 000008
【図７】
2008538801.tif 000009
【図８】
2008538801.tif 000010
【図９】
2008538801.tif 000011
【図１０】
2008538801.tif 000012
【図１１】
2008538801.tif 000013
【図１２】
2008538801.tif 000014
【図１３】
2008538801.tif 000015
【図１４】
2008538801.tif 000016
【図１５】
2008538801.tif 000017
【図１６】
2008538801.tif 000018
【図１７】
2008538801.tif 000019
【図１８】
2008538801.tif 000020
【図１９】
2008538801.tif 000021
【図２０】
2008538801.tif 000022
【図２１】
2008538801.tif 000023
【図２２】
2008538801.tif 000024
【図２３】
2008538801.tif 000025
【図２４】
2008538801.tif 000026
【図２５】
2008538801.tif 000027
【図２６】
2008538801.tif 000028
【図２７】
2008538801.tif 000029
【図２８】
2008538801.tif 000030
【図２９】
2008538801.tif 000031
【図３０】
2008538801.tif 000032
【図３１】
2008538801.tif 000033
【図３２】
2008538801.tif 000034
【図３３】
2008538801.tif 000035
【図３４】
2008538801.tif 000036
【図３５】
2008538801.tif 000037
【図３６】
2008538801.tif 000038
【図３７】
2008538801.tif 000039
【図３８】
2008538801.tif 000040
【図３９】
2008538801.tif 000041
【図４０】
2008538801.tif 000042
【図４１】
2008538801.tif 000043
【図４２】
2008538801.tif 000044
【図４３】
2008538801.tif 000045
【図４４】
2008538801.tif 000046
【図４５】
2008538801.tif 000047
【図４６】
2008538801.tif 000048
【図４７】
2008538801.tif 000049
【図４８】
2008538801.tif 000050
【図４９】
2008538801.tif 000051
【図５０】
2008538801.tif 000052
【図５１】
2008538801.tif 000053
【図５２】
2008538801.tif 000054
【図５３】
2008538801.tif 000055
【図５４】
2008538801.tif 000056
【図５５】
2008538801.tif 000057
【図５６】
2008538801.tif 000058
【図５７】
2008538801.tif 000059
【図５８】
2008538801.tif 000060
【図５９】
2008538801.tif 000061
【図６０】
2008538801.tif 000062
【図６１】
2008538801.tif 000063
【図６２】
2008538801.tif 000064
【図６３】
2008538801.tif 000065
【図６４】
2008538801.tif 000066
【図６５】
2008538801.tif 000067
【図６６】
2008538801.tif 000068
【図６７】
2008538801.tif 000069
【図６８】
2008538801.tif 000070
【図６９】
2008538801.tif 000071
【図７０】
2008538801.tif 000072
【図７１】
2008538801.tif 000073
【図７２】
2008538801.tif 000074
【図７３】
2008538801.tif 000075
【図７４】
2008538801.tif 000076
【図７５】
2008538801.tif 000077
【図７６】
2008538801.tif 000078
【図７７】
2008538801.tif 000079
【図７８】
2008538801.tif 000080
【図７９】
2008538801.tif 000081
【図８０】
2008538801.tif 000082
【図８１】
2008538801.tif 000083
【図８２】
2008538801.tif 000084
【図８３】
2008538801.tif 000085
【図８４】
2008538801.tif 000086
【図８５】
2008538801.tif 000087
【図８６】
2008538801.tif 000088
【図８７】
2008538801.tif 000089
【図８８】
2008538801.tif 000090
【図８９】
2008538801.tif 000091
【図９０】
2008538801.tif 000092
【図９１】
2008538801.tif 000093
【図９２】
2008538801.tif 000094
【図９３】
2008538801.tif 000095
【図９４】
2008538801.tif 000096
【図９５】
2008538801.tif 000097
【図９６】
2008538801.tif 000098
【図９７】
2008538801.tif 000099
【図９８】
2008538801.tif 000100
【図９９】
2008538801.tif 000101
【図１００】
2008538801.tif 000102
【図１０１】
2008538801.tif 000103
【図１０２】
2008538801.tif 000104
【図１０３】
2008538801.tif 000105
【図１０４】
2008538801.tif 000106
【図１０５】
2008538801.tif 000107
【図１０６】
2008538801.tif 000108
【図１０７】
2008538801.tif 000109
【図１０８】
2008538801.tif 000110
【図１０９】
2008538801.tif 000111
【図１１０】
2008538801.tif 000112
【図１１１】
2008538801.tif 000113
【図１１２】
2008538801.tif 000114
【図１１３】
2008538801.tif 000115
【図１１４】
2008538801.tif 000116
【図１１５】
2008538801.tif 000117
【図１１６】
2008538801.tif 000118
【図１１７】
2008538801.tif 000119
【図１１８】
2008538801.tif 000120
【図１１９】
2008538801.tif 000121
【図１２０】
2008538801.tif 000122
【図１２１】
2008538801.tif 000123
【図１２２】
2008538801.tif 000124
【図１２３】
2008538801.tif 000125
【図１２４】
2008538801.tif 000126
【図１２５】
2008538801.tif 000127
【図１２６】
2008538801.tif 000128
【図１２７】
2008538801.tif 000129
【図１２８】
2008538801.tif 000130
【図１２９】
2008538801.tif 000131
【図１３０】
2008538801.tif 000132
【図１３１】
2008538801.tif 000133
【図１３２】
2008538801.tif 000134
【図１３３】
2008538801.tif 000135
【図１３４】
2008538801.tif 000136
【図１３５】
2008538801.tif 000137
【図１３６】
2008538801.tif 000138
【図１３７】
2008538801.tif 000139
【図１３８】
2008538801.tif 000140
【図１３９】
2008538801.tif 000141
【図１４０】
2008538801.tif 000142
【図１４１】
2008538801.tif 000143
【図１４２】
2008538801.tif 000144
【図１４３】
2008538801.tif 000145
【図１４４】
2008538801.tif 000146
【図１４５】
2008538801.tif 000147
【図１４６】
2008538801.tif 000148
【図１４７】
2008538801.tif 000149
【図１４８】
2008538801.tif 000150
【図１４９】
2008538801.tif 000151
【図１５０】
2008538801.tif 000152
【図１５１】
2008538801.tif 000153
【図１５２】
2008538801.tif 000154